(57)【特許請求の範囲】
【請求項１】
ロール状に巻回された用紙を引き出して用紙搬送経路に沿って搬送する搬送部と、
前記用紙搬送経路中に設けられ前記用紙に印字する印字部と、
前記用紙搬送経路中に設けられ前記用紙を切断するカッタと、
前記用紙搬送経路における前記カッタより用紙搬送方向下流側に設けられ前記カッタを駆動する駆動源により駆動されて前記用紙の巻癖を矯正する方向に前記用紙搬送経路を屈曲させる巻癖矯正装置と、
を具備し、
前記カッタは、前記用紙搬送経路を挟んで対向配置されている固定刃と可動刃とを有し、前記可動刃の回転に伴う前記可動刃と前記固定刃との噛み合い位置の移動によって前記用紙を切断するロータリカッタであり、
前記巻癖矯正装置は、前記用紙搬送経路を挟んで対向配置されている固定ガイドと可動ガイドとを有し、
前記可動刃及び前記可動ガイドは、前記用紙搬送経路の一部を形成し、
前記可動ガイドは、前記ロータリカッタの切断動作に伴い前記駆動源により駆動され前記可動刃とは逆の方向に回転し、前記可動刃と協働して前記用紙の巻癖を矯正するように前記用紙を前記固定ガイドに押し付ける動作を行なうプリンタ。
【発明の詳細な説明】
【０００１】
【発明の属する技術分野】
本発明は、ロール状に巻回された用紙に印字するプリンタに関する。
【０００２】
【従来の技術】
従来、ロール状に巻回された用紙を被印字媒体として使用し、印字がなされた用紙を適宜任意の位置で切断して使用するプリンタがある。
【０００３】
このような従来のプリンタを図５に基づいて説明する。プリンタ１００では、用紙保持部１０１に保持されているロール状の用紙１０２がプラテン１０３により引き出され用紙搬送経路１０４を搬送されて、この搬送途中で印字部１０５によって所定事項が印字される。その後、用紙１０２はカッタ１０６によって所定位置で切断される。切断された用紙１０２は、用紙格納部１０７に落下して格納される。
【０００４】
用紙１０２を切断するカッタ１０６としては、例えば、固定刃１０８と固定刃１０８に対して互いの刃部を摺動させるようにして回転される可動刃１０９とを、用紙搬送経路１０４を挟んで対向配置させて構成されるロータリカッタがある。このようなロータリカッタであるカッタ１０６では、搬送されてきた用紙１０２は、固定刃１０８と可動刃１０９とが噛み合うことにより切断される。
【０００５】
【発明が解決しようとする課題】
ところで、ロール状に巻回された用紙１０２には、その巻径に応じて巻癖が付いてしまっている。ここで、巻癖が付いた状態の切断後の用紙１０２を平らな面Ｓ上に置いた状態を図６に示す。図６に示すように、用紙１０２は、巻癖により弧形状に湾曲している。巻径が小さい場合には、強い巻癖がついているために、切断後、用紙１０２が用紙格納部１０７に格納される際には、図７に示すように巻癖がついた状態で用紙格納部１０７に格納される。これにより、その後に切断された用紙１０２を用紙格納部１０７に格納することが困難となり、切断後の用紙１０２が用紙格納部１０７の入口に乱れた状態で重なり、或いは、用紙格納部１０７以外の場所に落下するなどの問題が発生することがある。ここで、用紙格納部１０７以外の場所に落下する用紙１０２を図７において仮想線で示している。
【０００６】
また、切断された後の用紙１０２が乱れた状態で用紙格納部１０７の入口に重なるなどすると、切断された後の用紙１０２が用紙格納部１０７からプリンタ１００の本体側にはみ出してしまうことがある。このようにプリンタ１００の本体側にはみ出した用紙１０２がカッタ１０６まで逆戻りしてしまうと、次に切断される用紙１０２と共に切断され２度切りされてしまうという問題が発生することがある。
【０００７】
また、巻癖が付いた状態の切断後の用紙１０２を平面状の被貼付け物などに貼り付けた場合には、その巻癖によって用紙１０２が湾曲した状態に戻ろうとして剥がれてしまうという問題が発生することがある。このような用紙１０２の剥がれを防止する為には、作業者が人為的にその巻癖を取り除く動作をする必要があり手間が掛かってしまう。
【０００８】
本発明の目的は、用紙の巻癖を矯正することである。
【０００９】
【課題を解決するための手段】
本発明のプリンタは、ロール状に巻回された用紙が引き出されて搬送される用紙搬送経路におけるカッタより用紙搬送方向下流側に用紙の巻癖を矯正する巻癖矯正装置を具備する。
【００１０】
【発明の実施の形態】
本発明の実施の一形態を図１ないし図４に基づいて説明する。
【００１１】
図１はプリンタ１を示す概略側面図である。プリンタ１には、本体ケース２が設けられ、この本体ケース２内には、用紙保持部３と、印字部４と、カッタ５と、巻癖矯正装置６とが設けられている。
【００１２】
用紙保持部３には、ロール状に巻回された用紙７が保持されている。ここに、本実施の形態では、用紙７のセットの方向は引出し部分の外周面（印字面）側が上面となる向きとされている。また、印字部４は、図示しない駆動源により駆動されて回転自在であるローラ形状のプラテン８とこのプラテン８に接離自在に当接する印字ヘッド９とにより構成されている。なお、プラテン８は、用紙７を用紙搬送方向Ａに向けて搬送する搬送部としても機能する。そして、本体ケース２には、用紙保持部３を始端とし、プラテン８と印字ヘッド９との間を通りカッタ５へ到る用紙搬送経路１０が形成されている。
【００１３】
カッタ５は、共に平板長板状の固定刃１１と可動刃１２とを組合せてなり、固定刃１１は用紙搬送経路１０の上方に設けられ、可動刃１２は用紙搬送経路１０の下方に設けられ、非稼動時には両刃１１，１２が離間した分離型構造とされている。これらの固定刃１１と可動刃１２とは、平行位置からは僅かに傾斜して位置決めされており、鋏のように噛み合う。つまり、カッタ５は、固定刃１１と可動刃１２とを噛み合わせ、その噛み合い位置を移動させることにより、用紙搬送経路１０を搬送される用紙７を切断する構造のロータリカッタである。ここで、可動刃１２は、用紙搬送経路１０の一部を形成している。
【００１４】
このようなカッタ５中の可動刃１２は、ステッピングモータ（図示せず）を駆動源とし、起動信号に基づいて起動したステッピングモータからの駆動力を受けて支軸１３を中心に揺動するカッタアーム１４を動力伝達媒体として駆動される。つまり、ステッピングモータにより回転駆動される板カム１５が設けられ、カッタアーム１４はその板カム１５を原動節とするカム機構を構成するように従動節ととして板カム１５に連結されている。従って、カッタアーム１４が所定位置から所定量回転することにより、その先端に固定された可動刃１２が回転駆動され、固定刃１１と可動刃１２とが噛み合うことになる。そして、これら支軸１３、カッタアーム１４、板カム１５によりステッピングモータの駆動力を可動刃に伝達する伝達機構１６が構成されている。ここで、非稼動時の可動刃１２の位置は可動刃初期位置とされ、最大量回転された可動刃１２の位置は可動刃進出位置とされている。
【００１５】
巻癖矯正装置６は、カッタ５より用紙搬送方向Ａ下流側に設けられ、用紙７の巻癖を矯正する。この巻癖矯正装置６は、用紙搬送経路１０を挟んで対向配置されている可動ガイド１７や固定ガイド１８などから構成されている。
【００１６】
可動ガイド１７は、用紙７幅と略同じ幅の平板長板状に形成されており用紙搬送経路１０の一部を形成している。可動ガイド１７は、可動刃初期位置に位置する可動刃１２の上面と可動ガイド１７の上面とが略平行になり可動刃１２の上面と共に形成する用紙搬送経路１０が平らとなる可動ガイド初期位置と、可動刃進出位置に回転された可動刃１２と共に用紙搬送経路１０をＶ字形に屈曲させる可動ガイド進出位置との間で回転自在になるように回転軸１９に固定されている。この回転軸１９の一端部には、カッタアーム１４の支軸１３側の一端部に形成されたギヤ２０に噛み合うギヤ２１が固定的に設けられている。そして、巻癖矯正装置６は、可動刃１２が支軸１３を中心に回転されるとその回転方向とは逆方向に可動ガイド１７が回転軸１９を中心に可動刃１２と同じ回転量だけ回転されて、側面から見たときに可動刃１２と可動ガイド１７とがＶ字形を形成するように構成されている。
【００１７】
固定ガイド１８は、用紙７幅と略同じ幅を有し、その下端部には、Ｖ字形に屈曲されたＶ字形屈曲部１８ａが形成されている。このＶ字形屈曲部１８ａの背面は、共に進出位置に回転された可動刃１２及び可動ガイド１７の上面に所定間隔を持って平行状態で対向する。これにより、可動刃１２及び可動ガイド１７が共に進出位置に回転されたときには、用紙搬送経路１０がＶ字形に屈曲される。
【００１８】
加えて、本体ケース２の前端部には、切断された後の用紙７を格納する用紙格納部２２が設けられている。
【００１９】
このような構成において、用紙保持部３に保持された用紙７はプラテン８による搬送駆動を受けて用紙搬送経路１０中を用紙搬送方向Ａに向けて搬送されながら、印字ヘッド９により所定事項が順次印字される。印字が終了すると、用紙７の後端側がカッタ５における可動刃１２の駆動により切断される。この切断動作と共に巻癖矯正装置６による用紙７の巻癖矯正動作がなされ用紙７の巻癖が矯正される。巻癖矯正された後の用紙７は排出されて用紙格納部２２に格納される。
【００２０】
ここで、巻癖矯正装置６の巻癖矯正動作についてカッタ５の切断動作における可動刃１２の動作と共に図２ないし図４に基づいて説明する。可動ガイド１７は、可動刃１２と協働して用紙７の巻癖を矯正するように用紙７を固定ガイド１８に押し付ける動作を行なう。具体的には、まず、カッタ５の切断動作において可動刃１２が駆動されて可動刃初期位置から可動刃進出位置へ向けて回転して用紙７の切断が開始されると、同時に可動ガイド１７が可動ガイド初期位置から可動ガイド進出位置へ向けて回転する。
【００２１】
そして、可動刃１２と可動ガイド１７との回転により、可動刃１２及び可動ガイド１７上の用紙７は、可動刃１２及び可動ガイド１７によって固定ガイド１８のＶ字形屈曲部１８ａに押し付けられる。これにより、その押し付けられた部分の用紙７の動きが規制される。
【００２２】
さらに可動刃１２が駆動されて可動ガイドと共に進出位置に回転することにより、可動刃１２による用紙７の切断が完了し同時に、図２に示すように、用紙７が可動刃１２及び可動ガイド１７と、固定ガイド１８のＶ字形屈曲部１８ａとの間で側面から見てＶ字形に曲げられる。このときの用紙７が曲げられる方向は、用紙７の巻癖とは逆の方向となる。これにより用紙７に付いている巻癖が矯正される。
【００２３】
その後、図３に示すように、可動刃１２が駆動されて可動刃初期位置へ戻るように回転することにより、可動ガイド１７も可動ガイド初期位置へ戻るように回転される。そして、図４に示すように、巻癖を矯正された後の用紙７が用紙格納部２２に格納される。
【００２４】
以上説明したように、本実施の形態では、用紙７に付いた巻癖を巻癖矯正装置６により矯正することができるので、用紙７を確実に用紙格納部２２に格納することができる。また、後続の用紙７を積層状態で用紙格納部２２に格納することができ、用紙７が用紙格納部２２以外の場所に落下することが防止される。さらに、用紙７が確実に用紙格納部２２に格納されるので、切断された後の用紙７がカッタ５に逆戻りすることがなく、用紙７の２度切りを回避することができる。
【００２５】
また、巻癖矯正装置６がカッタ５の駆動源であるステッピングモータにより駆動されて用紙７の巻癖を矯正する方向に用紙搬送経路１０を屈曲させるので、巻癖矯正装置６を駆動する為だけの駆動源を必要とせず、巻癖矯正装置６を設けることによるプリンタ１のサイズの増大やコストアップを極力押さえることができる。
【００２６】
また、ステッピングモータからの駆動力がカッタ５の伝達機構１６を介して巻癖矯正装置６に伝達されることにより、さらに、プリンタ１のサイズの増大やコストアップを極力押さえることができる。
【００２７】
【発明の効果】
本発明のプリンタによれば、巻癖矯正装置により用紙の巻癖を矯正することができる。
【図面の簡単な説明】
【図１】本発明の実施の一形態のプリンタを示す縦断側面図である。
【図２】巻癖矯正装置による用紙の巻癖矯正動作を示す縦断側面図である。
【図３】巻癖矯正装置による用紙の巻癖矯正動作を示す縦断側面図である。
【図４】矯正後の用紙が用紙格納部に格納されている状態を示す縦断側面図である。
【図５】従来のプリンタを示す縦断側面図である。
【図６】巻癖が付いた状態の切断後の用紙を平らな面上に置いた状態を示す側面図である。
【図７】用紙格納部の入口に乱れた状態で重なり用紙格納部以外の場所に落下する用紙の状態を示す側面図である。
【符号の説明】
１…プリンタ、４…印字部、５…カッタ，ロータリカッタ、６…巻癖矯正装置、７…用紙、８…搬送部（プラテン）、１０…用紙搬送経路、１１…固定刃、１２…可動刃、１７…可動ガイド、１８…固定ガイド
【図１】
0003927404.tif 000002
【図２】
0003927404.tif 000003
【図３】
0003927404.tif 000004
【図４】
0003927404.tif 000005
【図５】
0003927404.tif 000006
【図６】
0003927404.tif 000007
【図７】
0003927404.tif 000008